(57)【要約】      （修正有）【課題】効果的に脱臭可能で、また、イオンを効果的に拡散可能でありながらも薄型化を図り得る送風装置を提供する。【解決手段】送風装置１は、一方面１０ａ側においてそれぞれ開口するように、かつ互いに隣り合うように設けられた第１吸込口２１と第１吹出口２４とを連通させる第１空気流通路２内に、第１送風器２５を設け、この第１送風器の上流側に脱臭フィルター２３を配置した脱臭部２０と、前記一方面側においてそれぞれ開口するように、かつ互いに隣り合うように設けられた第２吸込口３１と第２吹出口３４とを連通させ、前記第１空気流通路とは区画された第２空気流通路３内に、吹出部３７の吹出方向がこれら第２吸込口と第２吹出口との並設方向に沿う方向となるように第２送風器３５を設け、この第２送風器の吹出部と対向するようにイオン発生部３２のイオン吹出部３３を配置したイオン拡散部３０と、を互いに隣り合うように設けた。【選択図】図１
2013234819.tif 000002
【特許請求の範囲】
【請求項１】
一方面側においてそれぞれ開口するように、かつ互いに隣り合うように設けられた第１吸込口と第１吹出口とを連通させる第１空気流通路内に、吹出部の吹出方向がこれら第１吸込口と第１吹出口との並設方向に沿う方向となるように第１送風器を設け、この第１送風器の上流側に脱臭フィルターを配置した脱臭部と、
前記一方面側においてそれぞれ開口するように、かつ互いに隣り合うように設けられた第２吸込口と第２吹出口とを連通させ、前記第１空気流通路とは区画された第２空気流通路内に、吹出部の吹出方向がこれら第２吸込口と第２吹出口との並設方向に沿う方向となるように第２送風器を設け、この第２送風器の吹出部と対向するようにイオン発生部のイオン吹出部を配置したイオン拡散部と、
を互いに隣り合うように設けたことを特徴とする送風装置。
【請求項２】
請求項１において、
前記脱臭部と前記イオン拡散部とは、それぞれの吸込口及び吹出口の並設方向に沿って互いに隣り合うように設けられていることを特徴とする送風装置。
【請求項３】
請求項２において、
前記脱臭部及び前記イオン拡散部のそれぞれの吸込口同士またはそれぞれの吹出口同士を隣接させたことを特徴とする送風装置。
【発明の詳細な説明】
【技術分野】
【０００１】
本発明は、イオンを発生するイオン発生部を設けた送風装置に関する。
【背景技術】
【０００２】
従来より、除菌や消臭作用等を有するイオンを発生するイオン発生部を設けた送風装置が知られている。
例えば、下記特許文献１では、部屋の天井部に設置されるエアーカーテン付天井空気清浄機が提案されている。この空気清浄機は、天井に設置される機体に、エアーカーテン吹出口とエアー吸込口とを設け、これらエアーカーテン吹出口とエアー吸込口との間に位置する機体内に、臭気などを吸着する吸着フィルターなどのフィルター及び送風機を設けた構成とされている。また、この空気清浄機は、吸着フィルター及び送風機の下流側で、エアーカーテン吹出口よりも上流側に位置する機体内に、除菌イオン発生器を設けた構成とされている。
【先行技術文献】
【特許文献】
【０００３】
【特許文献１】特開２００９−１９５８９０号公報
【発明の概要】
【発明が解決しようとする課題】
【０００４】
ところで、上記のような除菌や消臭作用等を有するイオンを送風する送風装置を、車や建材、住宅設備等に組み込むことが考えられる。このような場合には、組み込まれる対象に送風装置の組み込みスペースが必要となるが、組込対象自体の大きさに制限があり、また、車内スペースや建物内スペース等を有効に利用する観点等からも、小型で薄型のものが望まれる。しかしながら、上記特許文献１に記載の空気清浄機のように、臭気などを吸着するフィルターを設けた場合には、該フィルターにより圧力損失が大きくなるため、イオンを効果的に拡散させるためには、送風機を大型化させる必要があり、更なる改善が望まれる。
【０００５】
本発明は、上記実情に鑑みてなされたものであり、効果的に脱臭可能で、また、イオンを効果的に拡散可能でありながらも薄型化を図り得る送風装置を提供することを目的としている。
【課題を解決するための手段】
【０００６】
上記目的を達成するために、本発明に係る送風装置は、一方面側においてそれぞれ開口するように、かつ互いに隣り合うように設けられた第１吸込口と第１吹出口とを連通させる第１空気流通路内に、吹出部の吹出方向がこれら第１吸込口と第１吹出口との並設方向に沿う方向となるように第１送風器を設け、この第１送風器の上流側に脱臭フィルターを配置した脱臭部と、前記一方面側においてそれぞれ開口するように、かつ互いに隣り合うように設けられた第２吸込口と第２吹出口とを連通させ、前記第１空気流通路とは区画された第２空気流通路内に、吹出部の吹出方向がこれら第２吸込口と第２吹出口との並設方向に沿う方向となるように第２送風器を設け、この第２送風器の吹出部と対向するようにイオン発生部のイオン吹出部を配置したイオン拡散部と、を互いに隣り合うように設けたことを特徴とする。
【０００７】
本発明においては、前記脱臭部と前記イオン拡散部とを、それぞれの吸込口及び吹出口の並設方向に沿って互いに隣り合うように設けるようにしてもよい。
また、本発明においては、前記脱臭部及び前記イオン拡散部のそれぞれの吸込口同士またはそれぞれの吹出口同士を隣接させるようにしてもよい。
【発明の効果】
【０００８】
本発明に係る送風装置は、上述のような構成としたことで、効果的に脱臭可能で、また、イオンを効果的に拡散可能でありながらも薄型化を図ることができる。
【図面の簡単な説明】
【０００９】
【図１】本発明の一実施形態に係る送風装置の一例を模式的に示し、図２におけるＸ−Ｘ線矢視に対応させた一部省略概略横断面図である。
【図２】同送風装置を模式的に示す概略斜視図である。
【図３】同送風装置を組み込んだパネル体の一例を模式的に示す一部破断概略斜視図である。
【発明を実施するための形態】
【００１０】
以下に本発明の実施の形態について、図面に基づいて説明する。
図１〜図３は、本実施形態に係る送風装置の一例を模式的に示す図である。
なお、一部の図では、他図に付している詳細な符号の一部を省略している。
また、以下の実施形態では、送風装置の各吸込口及び各吹出口が設けられた面に対面した状態を基準として、手前側を前方、その逆側を後方とし、また、その状態を基準として、上下方向等の方向を原則的に説明する。
【００１１】
本実施形態に係る送風装置１は、図１及び図２に示すように、脱臭フィルター２３を備えた脱臭部２０と、イオン発生部３２を備えたイオン拡散部３０と、を互いに隣り合うように設けた構成とされている。
脱臭部２０は、一方面（前面）１０ａ側においてそれぞれ開口するように、かつ互いに隣り合うように設けられた第１吸込口２１と第１吹出口２４とを備えている。また、脱臭部２０は、これら第１吸込口２１と第１吹出口２４とを連通させる第１空気流通路２内に第１送風器２５を設けている。
イオン拡散部３０は、一方面（前面）１０ａ側においてそれぞれ開口するように、かつ互いに隣り合うように設けられた第２吸込口３１と第２吹出口３４とを備えている。また、イオン拡散部３０は、これら第２吸込口３１と第２吹出口３４とを連通させ、第１空気流通路２とは区画された第２空気流通路３内に第２送風器３５を設けている。
【００１２】
また、本実施形態では、これら脱臭部２０とイオン拡散部３０とを、それぞれの吸込口２１，３１及び吹出口２４，３４の並設方向に沿って互いに隣り合うように設けている。図例では、送風装置１の外郭形状を略直方体形状とし、送風装置１を、左右方向（各吸込口２１，３１と各吹出口２４，３４との並設方向に沿う方向）に長尺とした例を示している。つまり、当該送風装置１の長手方向に沿って、これら脱臭部２０とイオン拡散部３０とを互いに隣り合うように横並び状に設けた例を示している。
また、本実施形態では、脱臭部２０及びイオン拡散部３０のそれぞれの吸込口２１，３１同士を隣接させている。つまり、当該送風装置１の長手方向中央側に、脱臭部２０及びイオン拡散部３０のそれぞれの吸込口２１，３１を設け、当該送風装置１の長手方向両端側に、脱臭部２０及びイオン拡散部３０のそれぞれの吹出口２４，３４を設けている。
【００１３】
また、この送風装置１は、本実施形態では、各送風器２５，３５や脱臭フィルター２３、イオン発生部３２を内蔵し、前方に開口したケーシング本体１１と、このケーシング本体１１の前方開口を覆うように設けられたカバー体１０と、を備えている。また、本実施形態では、このカバー体１０に、左右方向（長手方向）に互いに間隔を空けて各吸込口２１，３１及び各吹出口２４，３４を設けている。
【００１４】
また、送風装置１は、比較的に小型で、薄型とされており、本実施形態では、図３に示すように、パネル体４に組み込まれるものとしている。これらパネル体４と送風装置１とによって送風機能付パネル５を構成している。
パネル体４は、略矩形平板状とされており、図例では、送風装置１の各吸込口２１，３１及び各吹出口２４，３４が一方面側において開口するように、送風装置１を上端部に組み込んだ例を示している。このパネル体４には、送風装置１のケーシング本体１１（図２も参照）が嵌め込まれるように取り付けられる取付凹所が設けられている。
このようなパネル体４としては、住居等の建物内に配設される扉体や、間仕切パネル、天井パネル等としてもよい。
【００１５】
カバー体１０は、略矩形平板状とされており、その長手方向途中部位（図例では略中央部位）に第２吸込口３１を設け、この第２吸込口３１の長手方向一端部（図示左側端部）側に第２吹出口３４を設けた構成とされている。第２吸込口３１と第２吹出口３４とは、比較的に互いに近接して設けられている。
また、カバー体１０は、第２吸込口３１の長手方向他端部（図示右側端部）側に第１吸込口２１及び第１吹出口２４を設けた構成とされている。第２吸込口３１と第１吸込口２１とは、比較的に互いに近接して設けられ、また、第１吸込口２１と第１吹出口２４とは、比較的に互いに近接して設けられている。
【００１６】
図例では、各吸込口２１，３１及び各吹出口２４，３４を、正面視して略矩形状とし、ガラリやルーバー等によって構成している。また、図例では、各吸込口２１，３１及び各吹出口２４，３４の上下寸法を概ね同寸法としている。また、第１吹出口２４、第２吸込口３１及び第２吹出口３４の左右寸法を概ね同寸法とし、第１吸込口２１の左右寸法を、これらよりも大きくした例を示している。
また、カバー体１０は、図１及び図２に示すように、ケーシング本体１１の前方開口よりも上下及び左右に大きく形成されており、ケーシング本体１１の開口周縁に沿うようにケーシング本体１１に取り付けられる。このカバー体１０のケーシング本体１１への取付態様としては、ねじ等の止具や接着剤等によって取り付ける態様としてもよい。
【００１７】
また、本実施形態では、図１に示すように、第１吸込口２１の背面側に、脱臭フィルター２３を設けている。この脱臭フィルター２３は、塵埃等の捕捉性や脱臭性を有した活性炭等からなる脱臭フィルター２３としてもよい。
また、本実施形態では、第１吸込口２１を、ガラリやルーバー等からなる前カバー２２に設け、この前カバー２２に、脱臭フィルター２３を保持する保持部２２ａ，２２ａを設けている。この前カバー２２は、カバー体１０に設けられた開口に嵌め込まれるようにしてカバー体１０に着脱自在に取り付けられる構成とされている。このような構成によれば、前カバー２２を取り外すことで脱臭フィルター２３の清掃や交換等を容易に行うことができる。
【００１８】
なお、上記したような態様に代えて、第１吸込口２１をカバー体１０に直接的に設けるようにしてもよい。この場合は、カバー体１０をケーシング本体１１に対して着脱自在とした態様としてもよい。また、脱臭フィルター２３を第１吸込口２１の背面側に設けた態様に代えて、第１空気流通路２の第１送風器２５の上流側の適宜位置に設けた態様としてもよい。
また、各吸込口２１，３１及び各吹出口２４，３４を開閉する開閉蓋を設けるようにしてもよい。
また、第２吸込口３１の背面側や第２送風器３５の上流側等に、圧力損失の然程生じないメッシュフィルター等の異物を捕捉するフィルターを設けるようにしてもよい。
【００１９】
脱臭部２０に設けられた第１送風器２５は、図１に示すように、その吹出部２７の吹出方向が第１吸込口２１と第１吹出口２４との並設方向（図例では左右方向）に沿う方向となるように第１空気流通路２内に設けられている。図例では、第１送風器２５を、第１空気流通路２を空気流通方向（左右方向）に区分するように、カバー体１０の第１吸込口２１と第１吹出口２４との間の背面側に配設した例を示している。これら第１吸込口２１と第１吹出口２４との間の間隔は、少なくとも第１送風器２５が背面側に配設可能な寸法としてもよい。
また、この第１送風器２５の吸込部２６を、当該第１送風器２５によって区分された第１空気流通路２の一方側空間（図示左方側空間）となる第１吸込口２１の背面側空間に向くように設けている。また、この第１送風器２５の吸込部２６を、第１吸込口２１の第１吹出口側（図右側）縁部近傍の背面側に位置するように設けている。
また、この第１送風器２５の吹出部２７を、当該第１送風器２５によって区分された第１空気流通路２の他方側空間（図示右方側空間）となる第１吹出口２４の背面側空間に向くように設けている。また、この第１送風器２５の吹出部２７を、第１吹出口２４の第１吸込口側（図示左側）縁部２４ａ近傍の背面側に位置するように設けている。
【００２０】
イオン拡散部３０に設けられた第２送風器３５は、図１に示すように、その吹出部３７の吹出方向が第２吸込口３１と第２吹出口３４との並設方向（図例では左右方向）に沿う方向となるように第２空気流通路３内に設けられている。図例では、第２送風器３５を、第１送風器２５と略同様、第２空気流通路３を空気流通方向（左右方向）に区分するように、カバー体１０の第２吸込口３１と第２吹出口３４との間の背面側に配設した例を示している。これら第２吸込口３１と第２吹出口３４との間の間隔は、少なくとも第２送風器３５が背面側に配設可能な寸法としてもよい。
また、この第２送風器３５の吸込部３６を、当該第２送風器３５によって区分された第２空気流通路３の一方側空間（図示右方側空間）となる第２吸込口３１の背面側空間に向くように設けている。また、この第２送風器３５の吸込部３６を、第２吸込口３１の第２吹出口側（図左側）縁部３１ａ近傍の背面側に位置するように設けている。
また、この第２送風器３５の吹出部３７を、当該第２送風器３５によって区分された第２空気流通路３の他方側空間（図示左方側空間）となる第２吹出口３４の背面側空間に向くように設けている。また、この第２送風器３５の吹出部３７を、第２吹出口３４の第２吸込口側（図示右側）縁部３４ａ近傍の背面側に位置するように設けている。
【００２１】
これら各送風器２５，３５としては、軸方向を左右方向に沿わせるように配置された軸流ファンとしてもよい。
また、各送風器２５，３５の配設態様としては、図例のような配設態様に限られず、少なくとも各吹出部２７，３７が各吹出口２４，３４の背面側空間に向くような配設態様とすればよい。例えば、送風器２５，３５として、シロッコファンやクロスフローファン等を採用した場合には、適宜、吸込側が吸込口２１，３１の背面側空間に向くように、吹出側が吹出口２４，３４の背面側空間に向くように配設するようにすればよい。また、このような送風器２５，３５の種類等に応じて、送風器２５，３５を吸込口２１，３１の背面側空間に配設するようにしてもよい。
また、図例では、脱臭部２０及びイオン拡散部３０に、それぞれ単一の送風器２５，３５を配設した例を示しているが、それぞれに複数の送風器２５，３５を配設するようにしてもよい。
【００２２】
脱臭部２０の第１空気流通路２及びイオン拡散部３０の第２空気流通路３は、カバー体１０及びケーシング本体１１によって区画されている。
ケーシング本体１１は、図１及び図２に示すように、天壁部１１ａ、底壁部１１ｂ、奥側壁部１１ｅ及び左右の側壁部１１ｃ，１１ｄを備え、前方に開口した箱形状とされている。
このケーシング本体１１の天壁部１１ａ及び底壁部１１ｂによって、各空気流通路２，３の上下両側を区画し、カバー体１０によって、各空気流通路２，３の手前側を区画している。
【００２３】
また、このケーシング本体１１の奥側壁部１１ｅは、各空気流通路２，３の奥側を区画する奥側面を構成する。本実施形態では、この奥側壁部１１ｅの第１送風器２５の吹出部２７側部位と第１吹出口２４の反第１吸込口側（図示右側）縁部２４ｂとを接続するように凹湾曲面形状とされたガイド面部を構成する第１ガイド壁部１２を設けている。この第１ガイド壁部１２によって、脱臭部２０の第１空気流通路２の奥側の一部及び左右方向一方側（図示右方側）を区画している。
この第１ガイド壁部１２は、図例では、ケーシング本体１１の奥側壁部１１ｅの第１送風器２５の吹出部２７側部位に接続されるように設けられており、その前端部が、第１吹出口２４の反第１吸込口側縁部２４ｂ近傍のカバー体１０の背面に当接または近接するように形成されている。また、この第１ガイド壁部１２は、平面視して、第１吹出口２４の第１吸込口側縁部２４ａ近傍を円心とした略円弧状に形成されている。
【００２４】
このような第１ガイド壁部１２を設けることで、例えば、このような第１ガイド壁部１２を設けていない場合と比べて、第１送風器２５の吹出部２７から吹き出された空気をスムーズに第１吹出口２４に向けてガイドすることができる。これにより、第１空気流通路２内における第１送風器２５の吹出側の圧力損失を抑制することができ、送風効率を向上させることができる。なお、このような第１壁部１２を設けずに、ケーシング本体１１の一方の側壁部（図示右側壁部）１１ｃによって脱臭部２０の第１空気流通路２の左右方向一方側（図示右方側）を区画するようにしてもよい。
【００２５】
また、ケーシング本体１１には、脱臭部２０の第１空気流通路２とイオン拡散部３０の第２空気流通路３とを区画する区画壁部１３が設けられている。この区画壁部１３によって、脱臭部２０の第１空気流通路２の左右方向他方側（図示左方側）及びイオン拡散部３０の第２空気流通路３の奥側の一部及び左右方向一方側（図示右方側）を区画している。
この区画壁部１３は、本実施形態では、ケーシング本体１１の奥側壁部１１ｅの第２送風器３５の吸込部３６側部位と第２吸込口３１の反第２吹出口側（図示右側）縁部３１ｂとを接続するように凹湾曲面形状とされている。図例では、この区画壁部１３は、ケーシング本体１１の奥側壁部１１ｅの第２送風器３５の吸込部３６側部位に接続されるように設けられており、その前端部が、第２吸込口３１の反第２吹出口側縁部３１ｂ近傍のカバー体１０の背面に当接または近接するように形成されている。また、この区画壁部１３は、平面視して、第２吸込口３１の第２吹出口側縁部３１ａ近傍を円心とした略円弧状に形成されている。
【００２６】
このような凹湾曲面形状とされた区画壁部１３を設けることで、例えば、区画壁部１３を上記のような凹湾曲面形状としていない場合と比べて、第２吸込口３１から第２送風器３５の吸込部３６に向かう空気をスムーズにガイドすることができる。これにより、第２空気流通路３内における第２送風器３５の吸込側の圧力損失を抑制することができ、送風効率を向上させることができる。
なお、本実施形態では、第２吸込口３１から吸い込まれた空気を第２送風器３５へ向けてガイドする形状とされた区画壁部１３を設けた例を示しているが、このような態様に限られない。例えば、このような区画壁部１３に代えて、または加えて、第１吸込口２１から吸い込まれた空気を第１送風器２５へ向けてガイドする形状とされた区画壁部を設けるようにしてもよい。または、脱臭部２０の第１空気流通路２とイオン拡散部３０の第２空気流通路３とを区画する区画壁部１３としては、このようなガイド形状とされたものに限られず、脱臭部２０の第１空気流通路２とイオン拡散部３０の第２空気流通路３とを区画する平板状の区画壁部としてもよい。また、脱臭部２０の第１吸込口２１とイオン拡散部３０の第２吸込口３１との間の間隔は、少なくとも互いの空気流通路２，３を区画する区画壁部の前端が背面側に配設可能な寸法としてもよい。
【００２７】
また、本実施形態では、ケーシング本体１１の奥側壁部１１ｅの第２送風器３５の吹出部３７側部位と第２吹出口３４の反第２吸込口側（図示左側）縁部３４ｂとを接続するように凹湾曲面形状とされたガイド面部を構成する第２ガイド壁部１１ｆを設けている。この第２ガイド壁部１１ｆによって、イオン拡散部３０の第２空気流通路３の奥側の一部及び左右方向他方側（図示左方側）を区画している。
また、この第２ガイド壁部１１ｆは、図例では、ケーシング本体１１の奥側壁部１１ｅの第２送風器３５の吹出部３７側部位に連なるように設けられており、その前端部が、第２吹出口３４の反第２吸込口側縁部３４ｂ近傍のカバー体１０の背面に当接または近接するように形成されている。また、この第２ガイド壁部１１ｆは、平面視して、第２吹出口３４の第２吸込口側縁部３４ａ近傍を円心とした略円弧状に形成されている。
【００２８】
また、本実施形態では、カバー体１０の長手方向一端部（図示左側端部）側の背面側に、イオン発生部３２が収容される機器収容空間を設けている。本実施形態では、ケーシング本体１１に、他方の側壁部（図示左側の側壁部）１１ｄと第２ガイド壁部１１ｆとを接続するように設けられた機器収容奥側壁部１１ｈを設けている。この機器収容奥側壁部１１ｈ、第２ガイド壁部１１ｆ、他方の側壁部１１ｄ、天壁部１１ａ、底壁部１１ｂ及びカバー体１０によって機器収容空間を区画している。
【００２９】
イオン発生部３２は、図１に示すように、そのイオン吹出部３３が、第２送風器３５の吹出部３７と対向するように設けられている。本実施形態では、このイオン発生部３２のイオン吹出部３３を、第２ガイド壁部１１ｆにおいて開口するように設けている。第２ガイド壁部１１ｆには、このイオン吹出部３３を、イオン拡散部３０の第２空気流通路３において開口させるように開口１１ｇが設けられている。
また、本実施形態では、イオン発生部３２を、イオン吹出部３３の吹出方向が第２送風器３５の吹出部３７の吹出方向と交差し、かつ第２吹出口３４側に指向するように設けている。つまり、イオン吹出部３３を、第２送風器３５の吹出部３７と対向配置させながらも、その吹出方向と第２送風器３５の吹出部３７の吹出方向とが真逆方向とならないように配置している。
【００３０】
図例では、イオン吹出部３３を、その吹出方向が、当該送風装置１の長手方向に対して僅かに傾斜する方向となるように、僅かに第２吹出口３４側（前方側）に指向するように配置している。このイオン吹出部３３の吹出方向の第２吹出口３４側（前方側）への傾斜度合いは、送風装置１が組み込まれる対象や送風装置１の使用用途等に応じて設定される送風装置１自体の奥行寸法（前後寸法）や、イオン発生部３２自体の形状や奥行寸法等に応じて適宜、設定するようにすればよい。図例では、外郭形状が略直方体形状で比較的に吹出方向に沿って長尺とされたイオン発生部３２を例示しており、上記のような吹出方向となるように当該イオン発生部３２の長手方向を吹出方向に沿わせて機器収容空間に配設した例を示している。
【００３１】
また、本実施形態では、イオン発生部３２の奥側面が当接または近接配置される機器収容奥側壁部１１ｈを、イオン吹出部３３の吹出方向に沿うように傾斜形状としている。つまり、機器収容奥側壁部１１ｈを、他方の側壁部１１ｄから第２ガイド壁部１１ｆに向かうに従い前方側に傾斜した形状としている。また、イオン発生部３２を、この機器収容奥側壁部１１ｈに沿わせるように当該送風装置１の長手方向に対して傾斜させて配設している。このような機器収容奥側壁部１１ｈを設けることで、イオン発生部３２の位置決めを容易に行え、イオン発生部３２を組み込む際等における作業性を向上させることができる。
【００３２】
また、このイオン発生部３２は、本実施形態では、除菌・消臭作用を有する帯電微粒子水を放出する静電霧化装置３２とされている。
この静電霧化装置３２は、詳細な図示は省略しているが、水粒子放出部とこれに対向する対向電極との間に高電圧を印加することで水粒子放出部の水分を霧化し、ナノメートルサイズの帯電微粒子水をイオン吹出部３３から放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置３２としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間（イオン吹出部３３）から放出する構成とされたものとしてもよい。
【００３３】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
なお、イオン発生部３２としては、このような静電霧化装置に限られず、除菌・消臭作用を有するイオンを放出するイオン発生器や、マイナスイオンを放出するマイナスイオン発生器等を採用するようにしてもよい。
【００３４】
また、このイオン発生部３２が設けられた部位等に、各送風器２５，３５やイオン発生部３２に駆動電源を供給し、これら各送風器２５，３５やイオン発生部３２を制御する各種回路等を内蔵した制御部を設けるようにしてもよい。また、このイオン発生部３２が設けられた部位の前面側等に、各送風器２５，３５やイオン発生部３２をＯＮ／ＯＦＦ操作する操作部を設けるようにしてもよい。また、これら各送風器２５，３５とイオン発生部３２とは、個別にＯＮ／ＯＦＦ操作が可能とされたものとしてもよく、または、同期してＯＮ／ＯＦＦされるものとしてもよい。また、当該送風装置１の両方または一方の吸込側の適所等に、臭いセンサーや埃センサー等の検出部を設け、該検出部の検出に基づいて各送風器２５，３５やイオン発生部３２のＯＮ／ＯＦＦ制御がなされるものとしてもよい。また、操作部にタイマー等を設け、各送風器２５，３５やイオン発生部３２をタイマー駆動可能とする態様としてもよい。
また、本実施形態のように、当該送風装置１を、パネル体４等に組み込まれるものとした場合には、上記のような制御部や操作部等を、送風装置１の組込対象側に設けるようにしてもよい。
【００３５】
また、本実施形態では、図１に示すように、イオン拡散部３０の第２空気流通路３における第２送風器３５の吹出部３７とイオン発生部３２のイオン吹出部３３との間に、壁部１４を設けている。この壁部１４は、第２送風器３５の吹出部３７からこの吹出部３７の吹出方向に見てイオン発生部３２のイオン吹出部３３を略遮蔽するように形成された遮蔽壁部１４とされている。この遮蔽壁部１４は、少なくともイオン吹出部３３の径よりも大きく形成され、イオン吹出部３３が設けられた位置と前後方向で概ね一致する位置となるように設けられている。つまり、この遮蔽壁部１４は、図示上下寸法がイオン吹出部３３の上下寸法よりも大きく形成され、奥行寸法がイオン吹出部３３の奥行寸法よりも大きく形成されている。この遮蔽壁部１４を、第２吹出口３４の背面側空間内で、天壁部１１ａと底壁部１１ｂとの間に概ね亘るように設けるようにしてもよい。
【００３６】
また、本実施形態では、この遮蔽壁部１４を、その第２吹出口３４側の端部（前端部）１４ｂが第２吹出口３４よりも奥側に少許控えた位置となるように設けている。また、本実施形態では、イオン発生部３２のイオン吹出部３３を、この遮蔽壁部１４によって第２
送風器３５の吹出部３７から吹出部３７の吹出方向に見て略遮蔽されるように第２吹出口３４の近傍に設けている。
図例では、この遮蔽壁部１４の奥行寸法を、その前端部１４ｂがイオン吹出部３３の前側縁部よりも僅かに前方に位置し、その後端部１４ａがイオン吹出部３３の後側縁部と前後方向で略一致する位置となるような寸法としている。
また、本実施形態では、この遮蔽壁部１４を、第２送風器３５の吹出部３７からの気流を、第２吹出口３４に向けて誘導するような凹湾曲形状としている。図例では、この遮蔽壁部１４を、上記した第２ガイド壁部１１ｆと略同心状の略円弧形状としている。
【００３７】
また、本実施形態では、この遮蔽壁部１４を、第２吹出口３４の背面側空間において比較的に第２送風器３５の吹出部３７の近傍に設けている。また、本実施形態では、第２送風器３５の吹出部３７からの気流を第２吹出口３４に向けて誘導する誘導壁部１５を更に設けている。
この誘導壁部１５は、遮蔽壁部１４よりも奥側に位置するように遮蔽壁部１４と間隔を空けて設けられている。つまり、この誘導壁部１５は、第２送風器３５の吹出部３７から吹出部３７の吹出方向に見て遮蔽壁部１４と重なり合わないように設けられており、その前端部１５ｂが遮蔽壁部１４の後端部１４ａよりも後方側に位置するように設けられている。また、図例では、この誘導壁部１５は、その後端部１５ａ側部位が遮蔽壁部１４の前端部１４ｂ側部位と前後方向に見て僅かに重なり合うように設けられている。また、この誘導壁部１５を、遮蔽壁部１４と同様、第２吹出口３４の背面側空間内で、天壁部１１ａと底壁部１１ｂとの間に概ね亘るように設けるようにしてもよい。
【００３８】
また、この誘導壁部１５は、第２ガイド壁部１１ｆとも間隔を空けて設けられている。この誘導壁部１５は、この誘導壁部１５と第２ガイド壁部１１ｆとの間及び誘導壁部１５と遮蔽壁部１４との間にそれぞれ空気流通空間が形成されるように配設されている。図例では、誘導壁部１５とガイド壁部１１ｆとの間及び誘導壁部１５と遮蔽壁部１４との間を互いに概ね同寸法状とした例を示している。
また、本実施形態では、この誘導壁部１５を凹湾曲形状としており、図例では、遮蔽壁部１４と同様、上記した第２ガイド壁部１１ｆと略同心状の略円弧形状としている。
【００３９】
なお、これら遮蔽壁部１４及び誘導壁部１５は、ケーシング本体１１に一体的に設けるようにしてもよく、または、ケーシング本体１１に組み込まれる壁部材等に設けるようにしてもよい。このような壁部材としては、ケーシング本体１１の天壁部１１ａに当接または近接して配設される天板部と、ケーシング本体１１の底壁部１１ｂに当接または近接して配設される底板部と、を備えたものとしてもよい。そして、上記した遮蔽壁部１４及び誘導壁部１５を、それぞれの上下端部を壁部材の天板部及び底板部に接続するように該壁部材に設けるようにしてもよい。
また、図例では、ケーシング本体１１の奥側壁部１１ｅ（本実施形態では、第２ガイド壁部１１ｆ）に沿うように配設される補助壁部１６を設けている。この補助壁部１６を、その上下端部を壁部材の天板部及び底板部に接続するように該壁部材に設けるようにしてもよい。このような補助壁部１６を設けることで、壁部材の強度を向上させることができる。なお、このような補助壁部１６を設けないようにしてもよい。
【００４０】
なお、壁部材やケーシング本体１１、カバー体１０は、合成樹脂系材料や金属系材料から上記形状にそれぞれ形成されたものとしてもよい。また、少なくとも第２送風器３５の吹出部３７の下流側の第２空気流通路３を区画する壁面を、帯電防止性を有したものとしてもよい。このような各面への帯電防止性の付与は、各構成部材自体を帯電防止性を有した材料からなるものとしたり、各面に、帯電防止剤を含有した塗料を塗布若しくは帯電防止剤を含有した樹脂シート等を貼着したりすることで付与するようにしてもよい。
【００４１】
また、上記した例では、各空気流通路２，３を区画し、各送風器２５，３５、脱臭フィルター２３及びイオン発生部３２を内蔵するケーシングとして、ケーシング本体１１とその前方開口を覆うカバー体１０とを備えたものを例示しているが、このような態様に限られない。例えば、ケーシング本体１１を、前方側ではなく、後方側や上方側に開口したもの等とし、その開口を覆うカバー体１０を備えたものとしてもよい。または、このようなケーシング本体１１とカバー体１０とを一体的に形成したような態様としてもよい。
【００４２】
上記構成とされた本実施形態に係る送風装置１によれば、効果的に脱臭可能で、また、イオンを効果的に拡散可能でありながらも、当該送風装置１の薄型化を図ることができる。
つまり、第１吸込口２１、第１吹出口２４、第１空気流通路２及び第１送風器２５を設けた脱臭部２０に、脱臭フィルター２３を設け、第２吸込口３１、第２吹出口３４、第２空気流通路３及び第２送風器３５を設けたイオン拡散部３０に、イオン発生部３２を設けている。また、これら脱臭部２０及びイオン拡散部３０の各送風器２５，３５を、それぞれの吹出方向がそれぞれの吸込口２１，３１及び吹出口２４，３４の並設方向に沿う方向となるように設けている。従って、例えば、各送風器２５，３５の吹出方向を一方面側や奥側面側に向かう方向とした場合と比べて、各空気流通路２，３内を効果的に送風可能でありながらも各送風器２５，３５の小型化を図ることができる。
【００４３】
また、脱臭部２０においては、脱臭フィルター２３を通過する風速が小さいほど、脱臭性能を向上させることができるので、効果的に脱臭可能でありながらも第１送風器２５の小型化を図ることができる。また、イオン拡散部３０においては、脱臭フィルター２３による大きな圧力損失が生じないため、イオンを効果的に拡散可能でありながらも第２送風器３５の小型化を図ることができる。
また、イオン拡散部３０においては、イオン吹出部３３を、第２送風器３５の吹出部と対向するように配置している。従って、イオン吹出部３３を第２吹出口３４に向けて開口するように、イオン発生部３２を第２送風器３５や第２吹出口３４の奥側に設けた場合と比べて、当該送風装置１の奥行寸法を小さくすることができ、より効果的に薄型化を図ることができる。
【００４４】
また、本実施形態では、脱臭部２０とイオン拡散部３０とを、それぞれの吸込口２１，３１及び吹出口２４，３４の並設方向に沿って互いに隣り合うように設けている。従って、例えば、脱臭部２０とイオン拡散部３０とを、それぞれの吸込口２１，３１及び吹出口２４，３４を並列に配置したり、それぞれの吸込口２１，３１及び吹出口２４，３４の並設方向を直交させるように配置したりした場合と比べて、細長状となり、コンパクト化を図ることができる。
【００４５】
また、本実施形態では、脱臭部２０及びイオン拡散部３０のそれぞれの吸込口２１，３１同士を隣接させている。従って、例えば、脱臭部２０及びイオン拡散部３０の一方の吸込口と他方の吹出口とを隣接させた場合と比べて、当該送風装置１の一方面１０ａ側において比較的に大きく空気を攪拌させるように気流を生じさせることができ、送風効率を向上させることができる。つまり、図１に示すように、当該送風装置１の長手方向略中央部位において吸込気流が生じ、長手方向両端部側において吹出気流が生じることとなり、当該送風装置１の一方面１０ａ側において比較的に大きく空気を攪拌させるように気流を生じさせることができる。なお、このような態様に代えて、脱臭部２０及びイオン拡散部３０のそれぞれの吹出口２４，３４同士を隣接させるようにしてもよい。このような場合には、当該送風装置１の長手方向両端部側において吸込気流が生じ、長手方向略中央部位において吹出気流が生じることとなり、上記と略同様、当該送風装置１の一方面１０ａ側において比較的に大きく空気を攪拌させるように気流を生じさせることができる。
【００４６】
また、本実施形態では、第２空気流通路３における第２送風器３５の吹出部３７とイオン発生部３２のイオン吹出部３３との間に、遮蔽壁部１４を設けている。従って、上記のように薄型化を図ることが可能でありながらも、イオン発生部３２のイオン吹出部３３から吹き出されたイオンを送風装置１外へより効果的に拡散させることができる。つまり、イオン発生部３２のイオン吹出部３３を第２送風器３５の吹出部３７と対向するように設けた構造としながらも、遮蔽壁部１４によって第２送風器３５の吹出部３７から吹き出された空気がイオン発生部３２のイオン吹出部３３に直接的（直線状）に当るようなことが抑制される。これにより、イオン発生部３２のイオン吹出部３３から吹き出されたイオンを第２送風器３５からの気流に乗せて第２吹出口３４から送風装置１外へより効果的に拡散させることができる。
【００４７】
また、本実施形態では、イオン発生部３２を、イオン吹出部３３の吹出方向が第２送風器３５の吹出部３７の吹出方向と交差し、かつ第２吹出口３４側に指向するように設けている。従って、イオン発生部３２のイオン吹出部３３と第２送風器３５の吹出部３７とを対向配置した構造でありながらも、イオン発生部３２のイオン吹出部３３からのイオンが第２吹出口３４側に吹き出されることとなるため、より効果的にイオンを送風装置１外へ拡散させることができる。なお、このような態様に代えて、例えば、イオン吹出部３２の吹出方向と第２送風器３５の吹出部３７の吹出方向とが真逆方向となるようにイオン発生部３２を設けたり、イオン吹出部３３の吹出方向を、僅かに反第２吹出口３４側に指向するようにイオン発生部３２を設けたりしてもよい。
【００４８】
また、本実施形態では、イオン発生部３２のイオン吹出部３３を第２吹出口３４の近傍に設けているので、イオン発生部３２のイオン吹出部３３から吹き出されたイオンを、より効果的に送風装置１外へ拡散させることができる。また、遮蔽壁部１４をその第２吹出口３４側の端部（前端部）１４ｂが第２吹出口３４よりも奥側に少許控えた位置となるように設けている。従って、例えば、遮蔽壁部１４を第２吹出口３４に略至るまで設けた場合と比べて、遮蔽壁部１４の第２送風器３５側を流れて第２吹出口３４に向かう空気にもイオンを拡散させ易くなり、イオンを送風装置１外へより効率的に拡散させることができる。
【００４９】
また、本実施形態では、遮蔽壁部１４を、第２吹出口３４の背面側空間において比較的に第２送風器３５の吹出部３７の近傍に設け、第２送風器３５の吹出部３７からの気流を、第２吹出口３４に向けて誘導する誘導壁部１５を遮蔽壁部１４と間隔を空けて設けている。従って、第２送風器３５の吹出部３７から吹き出された空気を、誘導壁部１５によってスムーズに第２吹出口３４に向けて誘導することができる。
また、イオン発生部３２のイオン吹出部３３から吹き出されたイオンを、この誘導壁部１５と遮蔽壁部１４との間を流れて第２吹出口３４に向かう空気に乗せるようにして送風装置１外へより効果的に拡散させることができる。
【００５０】
また、本実施形態では、ケーシング本体１１の奥側壁部１１ｅの第２送風器３５の吹出部３７側部位と、第２吹出口３４の反第２吸込口側縁部３４ｂとを接続するように凹湾曲面形状とされた第２ガイド壁部１１ｆを設けている。従って、例えば、このような第２ガイド壁部１１ｆを設けていない場合と比べて、第２送風器３５の吹出部３７から吹き出された空気をスムーズに第２吹出口３４に向けてガイドすることができる。これにより、第２空気流通路３内における第２送風器３５の吹出側の圧力損失を抑制することができ、送風効率を向上させることができる。
また、イオン発生部３２のイオン吹出部３３を、この第２ガイド壁部１１ｆにおいて開口するように設けている。従って、この第２ガイド壁部１１ｆに沿うようにガイドされて第２吹出口３４に向かう第２送風器３５からの気流方向に対して交差する方向にイオン発生部３２のイオン吹出部３３からイオンが吹き出されることとなる。これにより、この気流に乗せてイオン発生部３２のイオン吹出部３３から吹き出されたイオンを送風装置１外へより効果的に拡散させることができる。
【００５１】
なお、上記のような第２ガイド壁部１１ｆを設けないようにしてもよい。この場合は、第２吹出口３４の背面側空間の奥側及び左方側を、奥側壁部１１ｅ及びこの奥側壁部１１ｅに略直交するように前方側に向けて設けられた側壁部によって区画するような態様としてもよい。また、この場合は、該側壁部に開口するように、イオン発生部３２のイオン吹出部３３を設けるようにしてもよい。
【００５２】
また、本実施形態では、第２空気流通路３における第２送風器３５の吹出部３７の下流側に、単一の誘導壁部１５を設けた例を示しているが、このような誘導壁部１５を互いに間隔を空けて複数箇所に設けるようにしてもよい。また、例えば、上記した遮蔽壁部１４を設けずに、上記した誘導壁部１５の前端側を前方に延出させ、その延出させた部位を遮蔽壁部として把握するような態様としてもよい。または、このような誘導壁部１５を設けずに、遮蔽壁部１４のみを第２空気流通路３における第２送風器３５の吹出部３７の下流側に設けるようにしてもよい。
また、本実施形態では、遮蔽壁部１４を、その前端部１４ｂが第２吹出口３４よりも奥側に少許控えた位置となるように設けた例を示しているが、このような態様に限られない。例えば、第２送風器３５の吹出部３７から吹出部３７の吹出方向に見て少なくともイオン吹出部３３を遮蔽可能なように、遮蔽壁部１４の前端部１４ｂを、カバー体１０に当接させるようにしてもよい。また、イオン吹出部３３が第２吹出口３４の近傍に設けられていないような場合には、遮蔽壁部１４の前端部１４ｂを、イオン吹出部３３の位置に応じて、奥側に位置させるようにしてもよい。さらには、このような遮蔽壁部１４を設けないようにしてもよい。
【００５３】
また、本実施形態では、脱臭部２０とイオン拡散部３０とを、それぞれの吸込口２１，３１及び吹出口２４，３４の並設方向に沿って互いに隣り合うように設けた例を示しているが、このような態様に限られない。例えば、脱臭部２０とイオン拡散部３０とを、それぞれの吸込口２１，３１及び吹出口２４，３４を並列に配置するようにしてもよい。この場合は、それぞれの吸込口２１，３１同士を互いに隣接させ、それぞれの吹出口２４，３４同士を互いに隣接させるようにしてもよい。または、脱臭部２０とイオン拡散部３０とを、それぞれの吸込口２１，３１及び吹出口２４，３４の並設方向を直交させるように配置するようにしてもよい。この場合は、それぞれの吸込口２１，３１同士またはそれぞれの吹出口２４，３４同士を隣接させるようにしてもよい。
【００５４】
また、上記した例では、送風装置１を、パネル体４に組み込んだ例を示しているが、このような態様に限られない。当該送風装置１の組込対象としては、パネル体４以外の建材や、住宅設備、車等としてもよく、その他、種々の組込対象に組み込むことが可能である。さらには、当該送風装置１を、このような組込対象に組み込まれるものとせずに、単体で使用される送風装置１としてもよい。この場合は、当該送風装置１のケーシング（ケーシング本体１１及びカバー体１０）の外郭形状等を適宜、変形するようにしてもよい。
【符号の説明】
【００５５】
１        送風装置
２        第１空気流通路
３        第２空気流通路
１０ａ    前面（一方面）
２０      脱臭部
２１      第１吸込口
２３      脱臭フィルター
２４      第１吹出口
２５      第１送風器
２７      吹出部
３０      イオン拡散部
３１      第２吸込口
３２      イオン発生部
３３      イオン吹出部
３４      第２吹出口
３５      第２送風器
３７      吹出部
【図１】
2013234819.tif 000003
【図２】
2013234819.tif 000004
【図３】
2013234819.tif 000005